(57)【要約】【課題】  異なる材質からなる２枚の遮水シートの端部間を強固に接合可能な遮水シートの接合方法を提供する。【解決手段】  一方の遮水シート１の端部に、一方の遮水シート１と同一材質からなる孔無し接合片３と孔付き接合片４とを重ね合わせてなる一方の接合部材２を設け、他方の遮水シート１１の端部に、他方の遮水シート１１と同一材質からなる孔無し接合片１３と孔付き接合片１４とを重ね合わせてなる他方の接合部材１２を一体に設け、両接合部材２、１２を、一方の接合部材２の孔無し接合片３、他方の接合部材１２の孔付き接合片１４、一方の接合部材２の孔付き接合片４、他方の接合部材１２の孔無し接合片１３の順に重ねあわせ、この状態で、一方の接合部材２の孔無し接合片３と孔付き接合片４との間、及び他方の接合部材１２の孔無し接合片１３と孔付き接合片１４との間を、それらの間に介在している孔付き接合片４、１４の孔を介してそれぞれ一体に接合する。【選択図】図３
2007331198.tif 000002
【特許請求の範囲】
【請求項１】
異なる材質からなる２枚の遮水シートの端部間を接合するための遮水シートの接合方法であって、
一方の遮水シートの端部に、該一方の遮水シートと同一材質からなる孔無し接合片と孔付き接合片とを重ね合わせてなる一方の接合部材を一体に設け、
他方の遮水シートの端部に、該他方の遮水シートと同一材質からなる孔無し接合片と孔付き接合片とを重ね合わせてなる他方の接合部材を一体に設け、
前記一方の接合部材と前記他方の接合部材とを、一方の接合部材の孔無し接合片、他方の接合部材の孔付き接合片、一方の接合部材の孔付き接合片、他方の接合部材の孔無し接合片の順に重ね合わせ、
この状態で、前記一方の接合部材の孔無し接合片と孔付き接合片との間、及び前記他方の接合部材の孔無し接合片と孔付き接合片との間を、それらの間に介在している孔付き接合片の孔を介してそれぞれ一体に接合することを特徴とする遮水シートの接合方法。
【請求項２】
前記一方の接合部材の孔付き接合片及び前記他方の接合部材の孔付き接合片に、表裏面間を貫通する孔をそれぞれ複数箇所に設け、
前記他方の接合部材の孔付き接合片の各孔を介して前記一方の接合部材の孔無し接合片と孔付き接合片との間を一体に接合し、
前記一方の接合部材の孔付き接合片の各孔を介して前記他方の接合部材の孔無し接合片と孔付き接合片との間を一体に接合することを特徴とする請求項１に記載の遮水シートの接合方法。
【請求項３】
前記一方の接合部材の孔付き接合片の各孔と、前記他方の接合部材の孔付き接合片の各孔とを、互いに重ならない位置にそれぞれ設けたことを特徴とする請求項２に記載の遮水シートの接合方法。
【発明の詳細な説明】
【技術分野】
【０００１】
本発明は、遮水シートの接合方法に関し、特に、異なる材質からなる２枚の遮水シートの端部間を接合するのに有効な遮水シートの接合方法に関する。
【背景技術】
【０００２】
廃棄物処分場や貯水槽等の遮水対象物の遮水に使用される遮水シートには種々のタイプのものがあり、例えば、熱可塑性遮水シート（ポリエチレン系、ポリプロピレン系、ポリオレフィン系、ウレタン系）、アスファルト系遮水シート等があり、遮水対象物の種類に応じて適宜の遮水シートが使用されている。
【０００３】
上記のような各種の遮水シートを用いて遮水対象物を遮水する場合、通常、複数枚の遮水シートを遮水対象物の表面に敷設し、隣接する遮水シートの端部間を接着剤、熱融着等の接合手段によって一体に接合することにより、遮水対象物の表面の全体を覆う複数枚の遮水シートからなる遮水層を形成している。
【発明の開示】
【発明が解決しようとする課題】
【０００４】
ところで、複数枚の遮水シートによって遮水対象物の表面を被覆する遮水層を形成する場合、複数枚の遮水シートに同一材質のものを使用する場合には問題はないが、異なる材質のものを使用する場合には、隣接する遮水シート間の接合強度が小さくなり、使用中に剥離等の問題が生じることになり、長期に亘って安定した遮水性能を発揮することができない。
【０００５】
本発明は、上記のような従来の問題に鑑みなされたものであって、異なる材質の遮水シート同士を接合する場合に、十分な接合強度が得られ、使用中に剥離等が生じることがなく長期に亘って安定した遮水性能を発揮することができる遮水シートの接合方法を提供することを目的とする。
【課題を解決するための手段】
【０００６】
上記のような課題を解決するために、本発明は、以下のような手段を採用している。
すなわち、請求項１に係る発明は、異なる材質からなる２枚の遮水シートの端部間を接合するための遮水シートの接合方法であって、一方の遮水シートの端部に、該一方の遮水シートと同一材質からなる孔無し接合片と孔付き接合片とを重ね合わせてなる一方の接合部材を一体に設け、他方の遮水シートの端部に、該他方の遮水シートと同一材質からなる孔無し接合片と孔付き接合片とを重ね合わせてなる他方の接合部材を一体に設け、
前記一方の接合部材と前記他方の接合部材とを、一方の接合部材の孔無し接合片、他方の接合部材の孔付き接合片、一方の接合部材の孔付き接合片、他方の接合部材の孔無し接合片の順に重ね合わせ、この状態で、前記一方の接合部材の孔無し接合片と孔付き接合片との間、及び前記他方の接合部材の孔無し接合片と孔付き接合片との間を、それらの間に介在している孔付き接合片の孔を介してそれぞれ一体に接合することを特徴とする。
【０００７】
本発明による遮水シートの接合方法によれば、一方の遮水シートの一方の接合部材と他方の遮水シートの他方の接合部材とを、一方の接合部材の孔無し接合片、他方の接合部材の孔付き接合片、一方の接合部材の孔付き接合片、他方の接合部材の孔無し接合片の順に重ね合わせ、この状態で、一方の接合部材の孔無し接合片と孔付き接合片との間、及び他方の接合部材の孔無し接合片と孔付き接合片との間を、それらの間に介在している孔付き接合片の孔を介してそれぞれ一体に接合することにより、一方の遮水シートと他方の遮水シートとを一方の接合部材と他方の接合部材とを介して一体に接合することができる。
【０００８】
請求項２に係る発明は、請求項１に記載の遮水シートの接合方法であって、前記一方の接合部材の孔付き接合片及び前記他方の接合部材の孔付き接合片に、表裏面間を貫通する孔をそれぞれ複数箇所に設け、前記他方の接合部材の孔付き接合片の各孔を介して前記一方の接合部材の孔無し接合片と孔付き接合片との間を一体に接合し、前記一方の接合部材の孔付き接合片の各孔を介して前記他方の接合部材の孔無し接合片と孔付き接合片との間を一体に接合することを特徴とする。
【０００９】
本発明による遮水シートの接合方法によれば、他方の接合部材の孔付き接合片の各孔を介して一方の接合部材の孔無し接合片と孔付き接合片との間が一体に接合され、一方の接合部材の孔付き接合片の各孔を介して他方の接合部材の孔無し接合片と孔付き接合片との間が一体に接合されることになる。
【００１０】
請求項３に係る発明は、請求項２に記載の遮水シートの接合方法であって、前記一方の接合部材の孔付き接合片の各孔と、前記他方の接合部材の孔付き接合片の各孔とを、互いに重ならない位置にそれぞれ設けたことを特徴とする。
【００１１】
本発明による遮水シートの接合方法によれば、一方の接合部材と他方の接合部材とを接合する際に、一方の接合部材の孔無し接合片と孔付き接合片の孔以外の部分との間が他方の接合部材の孔付き接合片の各孔を介して接合され、他方の接合部材の孔無し接合片と孔付き接合片の孔以外の部分との間が一方の接合部材の孔付き接合片の各孔を介して接合されることになる。
【発明の効果】
【００１２】
以上、説明したように、本発明の遮水シートの接合方法によれば、異なる材質の２枚の遮水シートを接合する場合に、一方の遮水シートに設けられる一方の遮水シートと同一材質からなる一方の接合部材と、他方の遮水シートに設けられる他方の遮水シートと同一材質からなる他方の接合部材とを接合することにより、異なる材質の２枚の遮水シートを一体に接合することができる。
この場合、一方の接合部材と他方の接合部材とは、一方の接合部材の孔無し接合片、他方の接合部材の孔付き接合片、一方の接合部材の孔付き接合片、他方の接合部材の孔無し接合片の順に積層し、この状態で、一方の接合部材の孔無し接合片と孔付き接合片との間を他方の接合部材の孔付き接合片の各孔を介して接合し、他方の接合部材の孔無し接合片と孔付き接合片との間を一方の接合部材の孔付き接合片の各孔を介して接合しているので、一方の接合部材と他方の接合部材とを強固に接合することができ、異なる材質からなる一方の遮水シートと他方の遮水シートとを両接合部材を介して強固に接合することができる。従って、異なる材質からなる一方の遮水シートと他方の遮水シートとの接合部から剥がれが生じるようなことはなく、長期的に安定した遮水性能を発揮することができる。
【発明を実施するための最良の形態】
【００１３】
以下、図面を参照しながら本発明の実施の形態について説明する。
図１〜図３には、本発明による遮水シートの接合方法の一実施の形態が示されていて、図１は一方の遮水シートの概略図、図２は他方の遮水シートの概略図、図３は一方の遮水シートと他方の遮水シートとの接合方法を示す説明図である。
【００１４】
すなわち、本実施の形態に示す遮水シートの接合方法は、廃棄物処分場、貯水槽等の遮水対象物を遮水する際に使用される遮水シートの接合方法であって、異なる材質からなる２枚の遮水シートの端部間を接合するのに有効なものであって、異なる材質の一方の遮水シート１の端部に一方の接合部材２を一体に設け、他方の遮水シート１１の端部に他方の接合部材１２を一体に設け、この一方の接合部材２と他方の接合部材１２とを介して一方の遮水シート１と他方の遮水シート１１の端部間を一体に接合するように構成したものである。
【００１５】
本発明による遮水シートの接合方法を適用可能な遮水シートとしては、特に制限はなく、熱可塑性遮水シート（ポリエチレン系、ポリプロピレン系、ポリオレフィン系、ウレタン系）、アスファルト系遮水シート等が挙げられる。
【００１６】
図１に示すように、一方の接合部材２は、一方の遮水シート１と同一材質からなる長尺シート状の２枚の接合片３、４からなるものであって、２枚の接合片３、４を重ね合わせて、両接合片３、４の一方の長辺側の縁部を一方の遮水シート１の端部に接着剤、熱融着等の接合手段により一体に接合し、両接合片３、４の他方の長辺側を一方の長辺側に対して開閉可能に構成したものである。
【００１７】
一方の接合部材２の一方の接合片３は、長尺シート状の孔無し接合片３に形成され、他方の接合片４は、複数箇所に表裏面間を貫通する孔５が設けられる長尺シート状の孔付き接合片４に形成され、孔付き接合片４の複数の孔５を介して後述する他方の接合部材１２の孔無し接合片１３と孔付き接合片１４とが、接着剤、熱融着等の接合手段によって一体に接合される。
【００１８】
一方の接合部材２の孔無し接合片３及び孔付き接合片４は、それぞれ一方の遮水シート１の１／２の厚みに形成され、一方の遮水シート１の端部の全長に行き渡る長さに形成され、一方の遮水シート１の端部の全長に亘って一体に接合されている。
【００１９】
一方の接合部材２の孔付き接合片４の各孔５は、一方の接合部材２の両接合片３、４と後述する他方の接合部材１２の両接合片１３、１４とを重ね合わせたときに、他方の接合部材１２の孔付き接合片１４の各孔１５と重ならない位置に設けられている。
【００２０】
孔付き接合片４の各孔５の形状、大きさは、特に制限されるものではなく、半円形、円形、楕円形、三角形、四角形、六角形、星形、十字形等の任意の形状、又はそれらの任意の形状を組み合わせた形状とすることができる（本実施の形態においては円形状としている。）。
【００２１】
複数の孔５の数、配列は、特に制限はなく、孔付き接合片４の全体に亘って規則正しく設けてもよいし、孔付き接合片４の全体に亘ってランダムに設けてもよい。要は、後述する他方の接合部材１２の孔付き接合片１４と孔無し接合片１３とを所定の強度で接合できる数、配列であればよい。本実施の形態においては、孔付き接合片４の長手方向に沿って所定の間隔ごとに複数の孔５を複数段に配置し、かつ各段の複数の孔５が孔付き接合片４の長手方向に対して所定の角度（約４５°）で傾斜する仮想線上に位置するように、孔付き接合片４の全体に亘って複数の孔５を配列している。
【００２２】
図２に示すように、他方の接合部材１２は、一方の接合部材２と同様に、他方の遮水シート１１と同一材質からなる長尺シート状の２枚の接合片１３、１４からなるものであって、２枚の接合片１３、１４を重ね合わせて、両接合片１３、１４の一方の長辺側の縁部を他方の遮水シート１１の端部に接着剤、熱融着等の接合手段により一体に接合し、両接合片１３、１４の他方の長辺側を一方の長辺側に対して開閉可能に構成したものである。
【００２３】
他方の接合部材１２の一方の接合片１３は、長尺シート状の孔無し接合片１３に形成され、他方の接合片１４は、複数箇所に表裏面間を貫通する孔１５が設けられる長尺シート状の孔付き接合片１４に形成され、孔付き接合片１４の複数の孔１５を介して前述した一方の接合部材２の孔無し接合片３と孔付き接合片４とが、接着剤、熱融着等の接合手段によって一体に接合される。
【００２４】
他方の接合部材１２の孔無し接合片１３及び孔付き接合片１４は、それぞれ他方の遮水シート１１の１／２の厚みに形成され、他方の遮水シート１１の端部の全長に行き渡る長さに形成され、他方の遮水シート１１の端部の全長に亘って一体に接合されている。
【００２５】
他方の接合部材１２の孔付き接合片１４の各孔１５は、一方の接合部材２の両接合片３、４と他方の接合部材１２の両接合片１３、１４とを重ね合わせたときに、一方の接合部材２の孔付き接合片４の各孔５と重ならない位置に設けられ、これにより、他方の接合部材１２の孔無し接合片１３と孔付き接合片１４の孔１５以外の部分との間が一方の接合部材２の孔付き接合片４の各孔５を介して一体に接合される。
【００２６】
孔付き接合片１４の各孔１５の形状は、特に制限されるものではなく、半円形、円形、楕円形、三角形、四角形、六角形、星形、十字形等の任意の形状、又はそれらの任意の形状を組み合わせた形状とすることができる（本実施の形態においては円形状としている。）。
【００２７】
複数の孔１５の数、配列は、特に制限はなく、孔付き接合片１４の全体に亘って規則正しく設けてもよいし、孔付き接合片１４の全体に亘ってランダムに設けてもよい。要は、前述した一方の接合部材２の孔付き接合片４と孔無し接合片３とを所定の強度で接合できる数、配列であればよい。本実施の形態においては、孔付き接合片１４の長手方向に沿って所定の間隔ごとに複数の孔１５を複数段に配置し、かつ各段の複数の孔１５が孔付き接合片１４の長手方向に対して所定の角度（約４５°）で傾斜する仮想線上に位置するように、孔付き接合片１４の全体に亘って複数の孔１５を配列している。
【００２８】
そして、上記のような構成の一方の遮水シート１と他方の遮水シート１１の端部間を一体に接合するには、図３に示すように、一方の遮水シート１の一方の接合部材２と他方の遮水シート１１の他方の接合部材１２とを、一方の接合部材２の孔無し接合片３、他方の接合部材１２の孔付き接合片１４、一方の接合部材２の孔付き接合片４、他方の接合部材１２の孔無し接合片１３の順に重ね合わせる。
【００２９】
そして、一方の接合部材２の孔無し接合片３と孔付き接合片４とを、それらの間に介在している他方の接合部材１２の孔付き接合片１４の複数の孔１５を介して接着剤、熱融着等の接合手段によって一体に接合し、他方の接合部材１２の孔無し接合片１３と孔付き接合片１４とを、それらの間に介在している一方の接合部材２の孔付き接合片４の複数の孔５を介して接着剤、熱融着等の接合手段によって一体に接合する。
【００３０】
この場合、一方の接合部材２は、孔無し接合片３と孔付き接合片４の孔５が設けられていない部分との間が他方の接合部材１２の孔付き接合片１４の複数の孔１５を介して一体に接合され、他方の接合部材１２は、孔無し接合片１３と孔付き接合片１４の孔１５が設けられていない部分との間が一方の接合部材２の孔付き接合片４の複数の孔５を介して一体に接合される。
【００３１】
このようにして、一方の遮水シート１に設けた一方の接合部材２と他方の遮水シート１１に設けた他方の接合部材１２とを一体に接合することにより、一方の遮水シート１の端部と他方の遮水シート１１の端部との間が両接合部材２、１２を介して一体に接合される。
【００３２】
上記のように構成した本実施の形態による遮水シートの接合方法にあっては、異なる材質からなる一方の遮水シート１と他方の遮水シート１１の端部間を接合する場合に、一方の遮水シート１側に設けた一方の接合部材２の孔無し接合片３と孔付き接合片４との間を、それらの間に介在させた他方の遮水シート１１側に設けた他方の接合部材１２の孔付き接合片１４の複数の孔１５を介して接合し、他方の遮水シート１１側に設けた他方の接合部材１２の孔無し接合片１３と孔付き接合片１４との間を、それらの間に介在させた一方の遮水シート１１側に設けた一方の接合部材２の孔付き接合片４の複数の孔５を介して接合するようにしたので、一方の遮水シート１と他方の遮水シート１１の端部間を直接に接合することなく、両遮水シート１、１１の端部間を強固に接合することができる。
【００３３】
従って、使用中に両遮水シート１、１１の接合部に剥がれが生じるようなことはなく、廃棄物処分場、貯水槽等の遮水対象物に使用した場合に、長期的に安定した遮水性能を発揮することができ、廃棄物処分場から有害物質の漏出、水槽からの水漏れ等を確実に防止することができる。
【図面の簡単な説明】
【００３４】
【図１】本発明による遮水シートの接合方法の一実施の形態を示した概略図であって、一方の遮水シートの全体を示した概略図である。
【図２】他方の遮水シートの全体を示した概略図である。
【図３】本発明による遮水シートの接合方法の手順を示した説明図である。
【符号の説明】
【００３５】
１  一方の遮水シート
２  一方の接合部材
３  一方の接合片（孔無し接合片）
４  他方の接合片（孔付き接合片）
５  孔
１１  他方の遮水シート
１２  他方の接合部材
１３  一方の接合片（孔無し接合片）
１４  他方の接合片（孔付き接合片）
１５  孔
【図１】
2007331198.tif 000003
【図２】
2007331198.tif 000004
【図３】
2007331198.tif 000005